(57)【特許請求の範囲】
【請求項１】
背負い鞄本体に取り付けられて背当て面に対応する位置に収容部を有した通気性のある袋体と、この袋体の収容部に対して出し入れ自在な緩衝体とを具備し、前記袋体内に収容した緩衝体の一部を、当該袋体を貫通して前記背負い鞄本体の背当て面に対向する位置に表出することにより当該背当て面との摩擦を増大させる摩擦増大部としたことを特徴とする背負い鞄用パッド。
【請求項２】
緩衝体が、袋体内に収容される軟質樹脂層と、袋体を貫通する前記摩擦増大部とを樹脂により形成し、摩擦増大部を袋体内の軟質樹脂層よりも相対的に硬質としている請求項１記載の背負い鞄用パッド。
【請求項３】
袋体が、背負い鞄本体の背当て面の上部周辺に対して縛り付け若しくは引っ掛け可能な上パッド取付部と、背負い鞄本体の背当て面の下部周辺に対して縛り付け若しくは引っ掛け可能な下パッド取付部とを有している請求項１又は２に記載の背負い鞄用パッド
【請求項４】
請求項１〜３の何れかに記載の背負い鞄用パッドを適用したものであって、背負い鞄本体の背当て面の縁部に沿って隆起部を有しており、この隆起部よりも中央側の背当て面に緩衝体を位置づけていることを特徴とする背負い鞄。
【請求項５】
隆起部が、左右の側縁部及び下縁部に沿った上向きコ字状に形成され、これらの隆起部によって部分的に囲まれる位置に緩衝体を位置づけている請求項４記載の背負い鞄。
【発明の詳細な説明】
【技術分野】
【０００１】
本発明は、背負い鞄用パッド及びこれを適用した背負い鞄に関するものである。
【背景技術】
【０００２】
従来より、ランドセル等の背負い鞄として、種々のものが提案され市場に供されている。このうち、特に背負い鞄を背負った際に背中が当たる位置すなわち背当て面には、肩に掛かる荷重を分散させ、背中に当たるときの感触を和らげつつ、走ったときの横揺れを抑制するために、緩衝作用のある部位が設けられているものが少なくなく、また、背当て面が背中に密着することで蒸れたり汗をかくことを防ぐために、背当て面の上に通気性のある素材や構造が設けられているものも少なくない。
【０００３】
例えば、特許文献１の背負いバッグは、袋状の本体と、その本体の背当て部の上端近辺から下端近辺にかけて設けられる左右一対の背負いベルトとを備えた背負いバッグであって、前記本体の背当て部が、柔軟な外生地と、その外生地の上に設けられる粘着弾性を有する連続気泡の発泡体からなる支持層と、その支持層を覆う柔軟で通気性が高いカバーシートとを備えており、前記支持層が、外生地の上端の左右から下端の中央部にかけてＴ字状を呈するように設けられている。そして、使用者の背中にフィットし、しかも背負いバッグの振動およびそれに基づく衝撃力を緩和し、安定して保持することができるほか、通気性が高く、熱吸収性がよいため装着感が優れ、また肩掛ベルトに粘着弾性の発泡シートを挿入した背負いバッグは、肩にかかる重量を分散し、衝撃を大きく吸収するので、使用者の負担が軽減されるようになっている。
【０００４】
また、特許文献２の背負い鞄は、背負い鞄本体の背当て面や肩に当接することとなる部分に、背中用緩衝体や肩用緩衝体を、緩衝体取付手段により接離自在にして取り付けるようにしている。そして、緩衝体がへたったり折り癖がついたり、あるいは汚れたり破損した場合にも、背負い心地を改善し、清潔な状態で使用することができ、また、使用者の体型に合わせて背負い心地を調整できるようになっている。
【先行技術文献】
【特許文献】
【０００５】
【特許文献１】特許第３０３４５０２号公報
【特許文献２】特開２００６−１２２５４３号公報
【発明の概要】
【発明が解決しようとする課題】
【０００６】
ところが、特許文献１のものは、背当て部が背負いバッグ本体に対して位置ずれしないように、背当て部を縫い付け等によって当該バッグ本体に一体に作り込みをするようにしており、既存のバッグに事後的に適用したり、汚れたときの洗濯やクッションが劣化したときの交換の便が図られないという課題がある。
【０００７】
一方、特許文献２のものも、緩衝体が背負い鞄本体に対して位置ずれをしないように、背負い鞄本体側および緩衝体側にそれぞれ面ファスナを縫い付け等によって取り付けるようにしており、この面ファスナの部分で脱着し、面ファスナごと緩衝体の洗濯や交換を行うことになるので、何度も洗濯するにつれて接着性が低下したり、劣化した際には面ファスナごと交換しなければならないという問題がある。また、背負い鞄本体側にも面ファスナを縫いつけ等によって取り付けなければならない点で、上記特許文献１と同様、既存の背負い鞄に簡単に適用できないものである。
【０００８】
本発明は、このような課題に着目したものであって、先ず洗濯や交換の便を容易にし、更に既存の鞄にも簡単に適用可能とした、使い勝手のよい背負い鞄用パッドおよびこれを適用した背負い鞄を提供することを目的としている。
【課題を解決するための手段】
【０００９】
本発明は、かかる目的を達成するために、次のような手段を講じたものである。
【００１０】
すなわち、本発明は、背負い鞄本体に取り付けられて背当て面に対応する位置に収容部を有した通気性のある袋体と、この袋体の収容部に対して出し入れ自在な緩衝体とを具備し、前記袋体内に収容した緩衝体の一部を、当該袋体を貫通して前記背負い鞄本体の背当て面に対向する位置に表出することにより当該背当て面との摩擦を増大させる摩擦増大部としたことを特徴とする。
【００１１】
このように構成すれば、背負った際に背中が当たる位置すなわち背当て面に緩衝体が配置されて背負い鞄本体が背中に当たるときの感触を和らげつつ、肩にかかる荷重を腰部分にも分散させることで肩の負担を軽減させ、摩擦増大部によって走ったときの背負い鞄本体の横揺れを抑制し、また袋体の通気性によって背当て面が背中に密着することで蒸れたり汗をかくことを防ぐことができる。しかも、緩衝体と袋体が分離しているので、汚れたときの袋体の洗濯や緩衝体が劣化したときの交換を平易に行うことができ、さらに緩衝体の一部を袋体から表出させて摩擦増大部としているので、この背負い鞄用パッドを背当て面に対して必ずしも直接的に固定せずとも、この背負い鞄を背負った際の鞄の荷重で摩擦増大部が背当て面に押し付けられてより滑りにくい状態が得られることになり、この背負い鞄用パッドの特段の取付構造を不要若しくは簡素化することができる。更に、必要に応じて収容部に収容する緩衝体の形状や厚み等を変更することができるので、背負い鞄本体の形状や利用者の個々の体型等に合った利用の形態が容易に実現可能となる。
【００１２】
緩衝体を簡易に構成するためには、袋体内に収容される軟質樹脂層と、袋体を貫通する前記摩擦増大部とを樹脂により形成し、摩擦増大部を袋体内の軟質樹脂層よりも相対的に硬質としていることが好適である。
【００１３】
背負い鞄本体に対して後付で背負い鞄用パッドを簡単に適用可能とするためには、袋体が、背負い鞄本体の背当て面の上部周辺に対して縛り付け若しくは引っ掛け可能な上パッド取付部と、背負い鞄本体の背当て面の下部周辺に対して縛り付け若しくは引っ掛け可能な下パッド取付部とを有していることが好ましい。
【００１４】
また、前記背負い鞄用パッドが適用される背負い鞄本体が、背当て面の縁部に沿って隆起部を有している場合に、この隆起部よりも中央側の背当て面に緩衝体を位置づけて背負い鞄を構成すれば、背負い鞄用パッドがずれにくい状態を有効に実現することができる。
【００１５】
特に、隆起部が、左右の側縁部及び下縁部に沿った上向きコ字状に形成されている場合に、これらの隆起部によって部分的に囲まれる位置に緩衝体を位置づければ、背負い鞄用パッドの位置ずれをより効果的に抑制することが可能となる。
【発明の効果】
【００１６】
本発明は、以上説明した構成であるから、背負い鞄を背負った際に背中が当たる位置すなわち背当て面に緩衝体が配置されて背負い鞄本体が背中に当たるときの感触を和らげつつ、肩にかかる荷重を腰部分にも分散させることで肩の負担を軽減させ、摩擦増大部によって背負い鞄を背負った者が走ったときの背負い鞄本体の横揺れを抑制し、また袋体の通気性によって背当て面が背中に密着することで蒸れたり汗をかくことを防ぐことができる上に、緩衝体と袋体が分離しているので、汚れたときの袋体の洗濯や緩衝体が劣化したときの交換を平易に行うことができる、使い勝手に優れた背負い鞄用パッド及びこれを適用した背負い鞄を提供することが可能となる。
【図面の簡単な説明】
【００１７】
【図１】本実施形態のランドセル本体を示す斜視図。
【図２】ランドセル本体に背負い鞄用パッドを取付けた本実施形態のランドセルを示す斜視図。
【図３】本実施形態のランドセル用パッドを示す斜視図。
【図４】ランドセルを背負った状態を示す側面図。
【図５】緩衝体を袋体の収容部に収容する工程を示す斜視図。
【図６】背負い鞄用パッドをランドセルに取り付ける工程を示す斜視図。
【発明を実施するための形態】
【００１８】
以下、本発明の一実施形態を、図面を参照して説明する。
【００１９】
図１は、本実施形態の背負い鞄本体であるランドセル本体Ａを示す斜視図、図２はこのランドセル本体Ａに背負い鞄用パッドたるランドセル用パッドＢを取付けた背負い鞄たるランドセルＲＡの斜視図である。
【００２０】
このランドセル本体Ａは、皮革若しくは合成皮革を縫い合わせて構成されるもので、背当て部３１と反背当て部３２の間を、まちとなる左右の側縁部３３および底部３４（図６参照）によって接続することで上方に開口する収容空間を有する筐体３を構成し、この筐体３を開閉すべく、前記背当て部３１の上縁に一体的に蓋部３５を連設して、この蓋部３５の先端に係合窓３６ａを有する蓋取付具３６（図６参照）を取り付けている。そして、図１に示すように蓋部３５を反背当て部３２に重合させて収容空間を閉止し、その状態で図６（ａ）→（ｂ）のように蓋取付具３６の係合窓３６ａを筐体３の底部３４に設けた受座３７に取り付けてある回転摘み３７ａに挿し通した後、回転摘み３７ａを回転させて蓋部３５を係止させるようにしている。
【００２１】
図１に示すように、筐体３には左右一対の肩ベルト１が取り付けられている。肩ベルト１は上下に分解できるように上ベルト部１１及び下ベルト部１２から構成されており、上ベルト部１１の上端と下ベルト部１２の下端には図１及び図６に示すようなＤ杆等のベルト取付具１１ａ、１２ａが取り付けられて、上端側のベルト取付具１１ａが筐体３の背蓋境界部に設けた上ベルト受座３０ａに取り付けられ、下端側のベルト取付具１２ａが前記筐体３の底部３４に設けた軸状の下ベルト受座３０ｂに取り付けられている。
【００２２】
図１に示すように背当て部３１には、左右の側縁部及び下縁部に沿って背当て面３１ａから盛り上がるような隆起部３１ｂが上向きコ字状に設けてあり、当該隆起部３１ｂが、このランドセルＲＡを背負った使用者の背中の両脇および腰に当たって、ランドセルＲＡを安定的に背負うことができるようにしてある。
【００２３】
背当て部３１の上方の背蓋境界部には、このランドセル本体Ａを手提げ状態で持つための逆Ｕ字状の把手４が取り付けられている。
【００２４】
このような構成において、本実施形態は、このランドセル本体Ａを背負った際に背中が当たる位置すなわち背当て面３１ａに、背中に当たるときの感触を和らげつつ、走ったときの横揺れを抑制し、さらに背当て面３１ａが背中に密着することで蒸れたり汗をかくことを防ぐために、図２に示すようなランドセル用パッドＢを簡単に取り付けることができるようにしている。
【００２５】
このランドセル用パッドＢは、図２及び図３に示すように、ランドセル本体Ａの背当て面３１ａをほぼ覆う位置に取り付けられて利用者の腰に対応する位置に収容部５０を有した通気性のある袋体５と、この袋体５の収容部５０に対して出し入れ自在な緩衝体６とを具備している。
【００２６】
緩衝体６は、図３に一部破砕して示すように、板状の軟質樹脂層６０と、前記軟質樹脂層６０よりも相対的に硬質であって当該軟質樹脂層６０の一部から突出させた略直方体状の摩擦増大部６１とを具備するもので、これら軟質樹脂層６０および摩擦増大部６１の素材に例えばウレタンを用い当該ウレタンを発泡倍率を異ならせて一体に形成している。前記軟質樹脂層６０に対し、背中が当たる表面側に隣接する位置にはより軟らかい素材かならなるクッション層６２が設けてあり、このクッション層６２も前記緩衝体６の一部を構成している。この緩衝体６は摩擦増大部６１以外の表面を防水性の表面材６３で被覆されていてもよい。摩擦増大部６１は、本実施形態においては正面視、ほぼ逆台形状をなしているが、ランドセルＲＡの背当て面３１ａの形状に沿っていればどのような形状であっても構わない。
【００２７】
袋体５は、吸水性、通気性のあるメッシュ素材で構成されており、背当て面３１ａ側に配置される生地（裏面）５１と背中側に配置される生地（表面）５２の３辺を縫い合わせることで前記緩衝体６の大きさに対応したポケット状の収容部５０を形成している。背中側の生地５２は、図２に示すように背蓋境界部付近から底部付近に亘って配置され、上部から中間部に向かって漸次幅広となる上部領域５２ａと、中間部から下部に亘って等幅をなす下部領域５２ｂとによって構成されたもので、上部には図３に示すように上パッド取付部となる紐部材５２ｃが両端を縫い付けてあり、下部にはパッド固定用ベルト７を挿し通してこのランドセル用パッドＢをランドセル本体Ａに取付けるための下パッド取付部たる通し孔５２ｄが紐部材を用いて形成してある。パッド固定用ベルト７は、図６（ａ）に示すように肩ベルト１の下ベルト部１２に挿し通すべく基端側に設けられたスリット７１及びこのスリット７１の一端側にあって軸状の下ベルト受座２に係合可能な丸孔７２と、先端側に設けられて前記袋体５の通し孔５２ｄに挿通可能な挿通片７３とを有したもので、挿通片７３には折り返した状態を保持する面ファスナ７４が設けてある。一方、背当て面側の生地５１は、図３に示すように前記背中側の生地５２よりも小さく当該背中側の生地５２と３辺で縫い合わせられた部分よりも上方に折り込み領域５１ａを有したもので、上部領域５１ａは図５に矢印で示すように折り返して収容部５０の中に差し込むことができるようにしてある。この背当て面側の生地５１には、収容部５０に緩衝体６を収容した位置で前記緩衝体６の摩擦増大部６１を貫通させて表出させることのできる貫通窓５１ｂが設けてある。
【００２８】
前記袋体５内に緩衝体６を収容するには、図３に示すように、収容部５０を上方に開放した状態で当該緩衝体６を収容部５０に投入し、投入位置でその一部に設けた前記摩擦増大部６１を図５に示すように袋体５に設けた前記貫通窓１１を貫通させて、表出させ、袋体５の裏面側の生地５１の上部領域５１ａを緩衝体６と表面側の生地５２との間に差し込むことで、緩衝体６を飛び出さないように包み込む。
【００２９】
このランドセル用パッドＢをランドセル本体Ａに取り付けるには、図２に示すようにランドセル用パッドＢの紐部材５２ｃをランドセル本体Ａの逆Ｕ字状の把手４に引っ掛け、これと前後して、図６（ａ）に示すように、分解した状態の下ベルト部１２を、パッド固定用ベルト７の丸孔７２及びスリット７１に挿し通して移動させ、その丸孔９２をランドセル本体Ａの底部３４に設けてある軸状の受座３０ｂに嵌める。そして、図６（ｂ）に示すように、パッド固定用ベルト７の先端をランドセル用パッドＢの取付孔５２ｂに挿し通して折り返し、面ファスナ７４、７４同士を接着し、最後に分解した上下肩ベルト１１、１２を接続する。
【００３０】
この段階で、緩衝体６は図１に示す上向きコ字状の隆起部３１ｂによって囲まれる位置に配置され（図２参照）、袋体の窓５１ｂを貫通した摩擦増大部６１が図４に示すようにランドセル本体Ａの背当て面３１ａに対向する位置に表出して、当該背当て面３１ａとの摩擦抵抗によってランドセル用パッドＢのずれにくい状態を維持することとなる。
【００３１】
また、上パッド取付部である紐部材５２ｃや下パッド取付部である通し孔５２ｄに引っ掛けてあるパッド固定用ベルト７をランドセル本体Ａから外すだけでランドセル用パッドＢを分離できるので、袋体５の洗濯や緩衝体６の交換も容易に行うことができる。
【００３２】
以上のように、本実施形態に係るランドセル用パッドＢは、ランドセル本体Ａに取り付けられて背当て面３１ａに対応する位置に収容部５０を有した通気性のある袋体５と、この袋体５の収容部５０に対して出し入れ自在な緩衝体６とを具備し、前記袋体５内に収容した緩衝体６の一部を、当該袋体５の窓５１ｂを貫通して前記ランドセル本体Ａの背当て面３１ａに対向する位置に表出することにより当該背当て面３１ａとの摩擦を増大させる摩擦増大部６１としたものである。
【００３３】
このように構成すれば、図４に示すごとくに背負った際に、背中が当たる位置すなわち背当て面３１ａに緩衝体６が配置されてランドセル本体Ａが背中に当たるときの感触を和らげつつ、肩にかかる荷重を腰部分にも分散させることで肩の負担を軽減させるのは勿論のこと、摩擦増大部６１が背当て面３１ａに設けた隆起部３１ｂの内側に嵌まった状態となるので、このランドセルＲＡを背負った子どもが走ったときのランドセル本体Ａの横揺れを抑制し、また袋体５の通気性によって背当て面３１ａが背中に密着することで蒸れたり汗をかくことを防ぐことができる。しかも、緩衝体６と袋体５が分離しているので、汚れたときの袋体５の洗濯や緩衝体６が劣化したときの交換を平易に行うことができ、さらに緩衝体６の一部を袋体５から表出させて摩擦増大部６１としているので、このランドセル用パッドＢを背当て面３１ａに対して必ずしも直接的に固定せずとも、このランドセルＲＡを背負った際の当該ランドセルＲＡの荷重で摩擦増大部６１が背当て面３１ａに押し付けられてより滑りにくい状態が得られることになり、このランドセル用パッドＢの特段の取付構造を不要若しくは簡素化することができる。更に、必要に応じて収容部５０に収容する緩衝体６の形状や厚み等を変更することもできるので、個々の体型に合った利用の形態が容易に実現可能となる。
【００３４】
また、緩衝体６が、袋体５内に収容される軟質樹脂層６０と、袋体５を貫通する摩擦増大部６１とを樹脂により一体的に形成したものであり、摩擦増大部６１が袋体５内の軟質樹脂層６０よりも相対的に硬質に形成されているので、樹脂の発砲倍率を異ならせて軟質樹脂層６と摩擦増大部６１とを一体に作るほか、硬度の異なる樹脂を貼り合わせること等により容易に成形することができる。勿論、突出した摩擦増大部６１が動かないようにサポートされていれば、必ずしも摩擦増大部６１は軟質樹脂層６０と接着等によって一体的に形成されていることを要しない。
【００３５】
特に、緩衝体６のうち摩擦増大部６１以外の表面を防水性の表面材６３で被覆し、袋体５を吸水性の素材で構成しているので、緩衝体６の軟質樹脂層６０やクッション層６２に汗が染み込むことがなく、袋体５が汚れた場合や緩衝体６が傷んだ場合には、個別に洗濯や交換を行うで簡単に対応することができる。勿論、使用上問題がなければ、緩衝体６を被覆しない利用の形態も可能である。
【００３６】
さらに、袋体５が、ランドセル本体Ａの背当て面３１ａの上部周辺に対して引っ掛け可能な上パッド取付部たる紐部材５２ｃと、ランドセル本体Ａの背当て面３１ａの下部周辺に対してパッド固定用ベルト７を介して縛り付け可能な下パッド取付部たる通し孔５２ｄとを有してるので、既存のランドセル本体Ａにも後付で容易に取り付けることができ、不要な場合や洗濯を要する場合には簡単に取り外すことが可能となり、何度洗濯しても面ファスナのように接着力が低下するといった不都合が生じることも回避することができる。しかも、これらの紐部材５２ｃと通し孔５２ｄとを利用して袋体５を引っ張った状態でランドセル本体Ａに取り付けているので、ランドセル用パッドＢが極力好ましい位置から動かないようにすることができ、さらに摩擦増大部６１がランドセル本体Ａの背当て面３１ａに設けた隆起部３１ｂの内側に嵌まった状態となるため、なお一層動きにくい状態を実現することができる。
【００３７】
すなわち、このようなランドセル用パッドＢを適用するランドセル本体Ａが、背当て面３１ａの縁部に沿って隆起部３１ｂを有し、この隆起部３１ｂよりも中央側の背当て面３１ａに緩衝体６を位置づけるようにしているので、ランドセル用パッドＢがずれ難い状態を有効に実現することができる。
【００３８】
特に、隆起部３１ｂを、左右の縁部部及び下縁部に沿って上向きコ字状に形成し、これらの隆起部３１ｂによって部分的に囲まれる位置に緩衝体６を位置づけているので、ランドセル用パッドＢがよりずれ難い状態をより簡単、的確に実現することが可能となる。
【００３９】
なお、各部の具体的な構成は、上述した実施形態のみに限定されるものではなく、緩衝体や袋体の大きさ・形状・構造、摩擦増大部の具体的な構成等を始めとして、袋体の取付構造等も、本発明の趣旨を逸脱しない範囲で種々変形が可能である。例えば、ランドセル本体Ａの背当て面３１ａの膨らみに合させて摩擦増大部６１の形状を変えたランドセル用パッドＢを用意しておけば、本発明を種々のランドセル本体Ａに容易に対応することができるようになる。
【符号の説明】
【００４０】
５…袋体
６…緩衝体
３１ａ…背当て面
３１ｂ…隆起部
５０…集要部
５２ｃ…上パッド取付部（紐部材）
５２ｄ…下パッド取付部（通し孔）
６０…軟質樹脂層
６１…摩擦増大部
６３…表面材
Ａ…背負い鞄本体（ランドセル本体）
Ｂ…ランドセル用パッド
ＲＡ…背負い鞄（ランドセル）
【図１】
0005849200.tif 000002
【図２】
0005849200.tif 000003
【図３】
0005849200.tif 000004
【図４】
0005849200.tif 000005
【図５】
0005849200.tif 000006
【図６】
0005849200.tif 000007